(57)【要約】【課題】低コストで直感的な操作での使用が可能な介護用口腔洗浄器を提供すること。【解決手段】植毛部１２と柄１４とによりＴ字型をなす歯ブラシ１０と、植毛部１２の内側から外方に向けて水を供給するための給水部７０を具備し、給水部７０は、給水すべき水を貯留する給水容器２０と、一端側が植毛部１２の内側で開口し他端側が植毛部１２の外側表面に配設された第1の給水路１６と、第1の給水路１６に連結され、逆止弁３２が内蔵されている給水用指圧ポンプ３０と、一端側が給水容器２０に連通し他端側が給水用指圧ポンプ３０に接続され、中途部に第２の逆止弁４２が配設された第２の給水路４０とを有し、柄１４は弓形に湾曲する形状に形成されていると共に、給水用指圧ポンプ３０の外形形状に倣った形状のポンプ収容凹部１８が配設されていることを特徴とする。【選択図】図１
2011206528.tif 000002
【特許請求の範囲】
【請求項１】
植毛部と柄とによりＴ字型をなす歯ブラシと、前記植毛部の内側から外方に向けて水を供給するための給水部を具備し、
前記給水部は、
前記歯ブラシに給水すべき水を貯留する給水容器と、
一端側が前記植毛部の内側で開口し、他端側が前記植毛部の外側表面に配設された第１の給水路と、
前記第１の給水路に連結され、逆止弁が内蔵されている給水用指圧ポンプと、
一端側が前記給水容器に連通し、他端側が前記給水用指圧ポンプに接続され、中途部に第２の逆止弁が配設された第２の給水路と、を有し、
前記柄は、弓形に湾曲する形状に形成されていると共に、前記給水用指圧ポンプの外形形状に倣った形状に形成されたポンプ収容凹部が配設されていることを特徴とする介護用口腔洗浄器。
【請求項２】
前記給水用指圧ポンプは、
前記第１の給水路に連通する水噴出路と、該水噴出路に水を供給させる際の動力源となる指圧部と、前記水噴出部と前記指圧部とを連通させると共に、前記逆止弁を収容するハウジングと、を具備し、
前記逆止弁は、移動弁と、当該移動弁を前記水噴出路側から前記指圧部側への水の供給を規制する方向への付勢力を付与する付勢部材と、を有し、
前記移動弁は、少なくとも前記ハウジングとの接触部分が合成樹脂により被覆されていることを特徴とする請求項１記載の介護用口腔洗浄器。
【請求項３】
前記給水用指圧ポンプは、前記第１の給水路に着脱自在であることを特徴とする請求項１または２記載の介護用口腔洗浄器。
【請求項４】
前記植毛部は動物毛が用いられていることを特徴とする請求項１〜３のうちのいずれか一項に記載の介護用口腔洗浄器。
【発明の詳細な説明】
【技術分野】
【０００１】
本発明は介護用口腔洗浄器に関し、より詳細には、使い勝手が良好であり低価格で提供可能な介護用口腔洗浄器に関する。
【背景技術】
【０００２】
本発明者は、駆動モータの回転駆動軸に連結された給水ポンプおよび排水ポンプを具備し、それぞれのポンプに接続された送水管および排水管に歯ブラシあるいは吸引パイプ等のアタッチメントを着脱自在に設け、被介護者の口腔内を洗浄するための介護用洗浄装置（特許文献１）や、洗浄水を供給する供給機構と洗浄水を口腔内に吐出して口腔内を洗浄する洗浄操作部と洗浄後の排水を回収する回収機構と、洗浄操作部に洗浄水の送水・止水を切り替えする切り替え機構と、切り替え機構を操作して被介護者の口腔内を洗浄する洗浄部とを有し、切り替え機構が洗浄部を把持しつつ操作可能であることを特徴とする介護用洗浄装置（特許文献２）をすでに出願している。
これら特許文献１，２に開示されている介護用洗浄装置によれば、小型で運搬性に優れ、給水や排水の処理を円滑に行うことができる点において好都合であった。
【先行技術文献】
【特許文献】
【０００３】
【特許文献１】特開２００４−４１６８７号公報
【特許文献２】特開２００７−１４４１１８号公報
【発明の開示】
【発明が解決しようとする課題】
【０００４】
特許文献１および２で提案した介護用洗浄装置は、それまでに提供されている装置に比較して低コストでの提供が可能になるように、可及的に簡素な構成を採用している。しかしながら近年における老人が老人を介護するいわゆる老老介護をしている家庭においては、このような介護用洗浄装置であっても購入する際の金銭的な負担が重いという課題や、使用する際における機械装置の操作が必要であるため、導入に躊躇してしまうといった課題の存在が明らかになった。
【０００５】
そこで本願発明は、低コストであり、かつ、複雑な操作処理が必要になる機械操作箇所を削減し、直感的な操作での使用が可能な介護用口腔洗浄器の提供を目的としている。
【課題を解決するための手段】
【０００６】
上記課題を解決するために本発明は鋭意研究を行った結果、本願発明者は以下の構成に想到した。
すなわち、植毛部と柄とによりＴ字型をなす歯ブラシと、前記植毛部の内側から外方に向けて水を供給するための給水部を具備し、前記給水部は、給水すべき水を貯留する給水容器と、一端側が前記植毛部の内側で開口し、他端側が前記植毛部の外側表面に配設された第１の給水路と、前記第１の給水路に連結され、逆止弁が内蔵されている給水用指圧ポンプと、一端側が前記給水容器に連通し、他端側が前記給水用指圧ポンプに接続され、中途部に第２の逆止弁が配設された第２の給水路と、を有し、前記柄は、弓形に湾曲する形状に形成されていると共に、前記給水用指圧ポンプの外形形状に倣った形状に形成されたポンプ収容凹部が配設されていることを特徴とする介護用口腔洗浄器である。
【発明の効果】
【０００７】
本発明にかかる介護用口腔洗浄器によれば、複雑な機械操作を不要にし、直感的な操作で作動させることが可能な手動機械装置を基本構成としているので、従来技術における介護用口腔洗浄器と同様な機能を有しながらも、お年寄りであっても躊躇なく使用することができる。また、安価な手動部品による構成であるから、口腔洗浄装置の製造コストを大幅に低減させることが可能である。
【図面の簡単な説明】
【０００８】
【図１】第１実施形態における介護用口腔洗浄器の全体構成を示す斜視図である。
【図２】第１実施形態における歯ブラシの斜視図である。
【図３】第１実施形態における歯ブラシの正面図である。
【図４】第１実施形態における給水用指圧ポンプの正面図である。
【図５】歯ブラシに給水用指圧ポンプを装着した状態を示す正面図である。
【図６】歯ブラシと給水用指圧ポンプの使用状態の一例を示す斜視図である。
【図７】給水用指圧ポンプにアタッチメントを装着した状態を示す正面図である。
【図８】図７に示すアタッチメントの使用状態の一例を示す斜視図である。
【図９】第２実施形態における給水用指圧ポンプの正面図（Ａ）および分解正面図（Ｂ）である。
【図１０】図９（Ｂ）内の破線で囲んだ部分の構成を示す組立説明図である。
【発明を実施するための最良の形態】
【０００９】
（第１実施形態）
以下、本発明にかかる介護用口腔洗浄器１００の実施形態について、図面に基づいて説明する。図１は、第１実施形態における介護用口腔洗浄器の全体構成を示す斜視図である。
本実施形態における介護用口腔洗浄器１００は、歯ブラシ１０と歯ブラシ１０に水を供給する給水部７０とを有している。
給水部７０は、歯ブラシ１０に供給する水を貯留する給水容器２０と、逆止弁３２を内蔵し、給水容器２０の水を歯ブラシ１０に供給するための給水用指圧ポンプ３０を有し、給水容器２０と給水用指圧ポンプ３０とを連通する第２の給水路４０と、を有している。給水部７０の一部を構成する第２の給水路４０の中途位置には、給水容器２０から歯ブラシ１０側への水の流れを許容し、歯ブラシ１０側から給水容器２０側への水の流れを規制する第２の逆止弁４２が配設されている。すなわち、第２の逆止弁４２もまた給水部７０の一部を構成している。
【００１０】
図１に示すように、本実施形態における介護用口腔洗浄器１００には、被介護者の口腔洗浄後の排水を回収する排水回収容器５０を備えている。この排水回収容器５０は、被介護者が歩くことができない場合において特に好適に用いられる。被介護者が歩いて洗面所等に移動することができる場合等においては、排水回収容器５０の構成は省略することもできる。
【００１１】
本実施形態における容器類について簡単に説明する。
給水容器２０は、いわゆるコップ状に形成された本体部２２と、本体部２２の開口部に着脱自在な蓋体２４と、蓋体２４から本体部２２内部に連通する連通孔（図示せず）に挿通させた第２の給水路４０を固定するためのキャップ２６を有している。このように給水容器２０を分解可能な構成にすることで、給水容器２０の洗浄や消毒を確実に行うことができるため衛生的に使用することができる。
排水回収容器５０は、本体部５２と、本体部５２に着脱自在な吊部材５４と、吊部材５４を固定するための固定具であるクリップ５６とを有している。図１に示す排水回収容器５０は、吊部材５４を被介護者の首にかけて、クリップ５６により被介護者の被服等に固定して用いることができる。なお、クリップ５６は吊部材５４の長さ調整具としても用いることができる。もし被介護者が寝たきりの場合や、被介護者自身が排水回収容器５０を持つことができる場合には、排水回収容器５０を本体部５２のみで構成してもよい。
【００１２】
図２は、本実施形態における歯ブラシの斜視図である。図３は、本実施形態における歯ブラシの正面図である。
歯ブラシ１０は、植毛部１２と柄１４とにより略Ｔ字型をなしている。植毛部１２には山羊毛や豚毛などの動物毛が植毛されているので、被介護者の口腔内を傷めることなく、やさしく洗浄処理をすることができる。また、植毛部１２には、一端側が植毛部１２の内側表面（毛の根元部分）で開口し、他端部が植毛部１２の台座部分を貫通した後、植毛部１２の外側表面に開口部を有する第１の給水路１６が設けられている。本実施形態における第１の給水路１６は、給水用指圧ポンプ３０から供給された水が植毛部１２の幅方向において均等間隔に噴出させるように、中途部から２方向に分岐するＹ字型に形成されている。第１の給水路１６の他端側部分は、係止具１５により柄１４に固定されている。
【００１３】
歯ブラシ１０の柄１４は、長手方向において弓形にゆるやかに湾曲した形状に形成されている（図３参照）。また、柄１４は、植毛部１２側から把持部側に徐々に幅広に形成されていて、柄１４の把持部側の端部位置には、給水用指圧ポンプ３０の指圧部３４の外形形状に倣った形状に形成されたポンプ収容凹部１８が配設されている。ポンプ収容凹部１８は柄１４の湾曲内側面に開口している。また、ポンプ収容凹部１８の内底部には柄１４の湾曲外側面に連通する貫通孔１９が形成されている。
【００１４】
図４は、本実施形態における給水用指圧ポンプの正面図である。図５は、歯ブラシに給水用指圧ポンプを装着した状態を示す正面図である。図６は、歯ブラシと給水用指圧ポンプの使用状態の一例を示す斜視図である。
本実施形態における給水用指圧ポンプ３０は、いわゆるスポイト型に形成された指圧部３４を有している。給水用指圧ポンプ３０の一端側には、ステンレススチール等の硬質な材料により形成された管路状の水噴出部３２が設けられている。他端側には給水用容器２０に連通するホース体からなる第２の給水路４０が取り付けられている。
【００１５】
水噴出部３２には、歯ブラシ１０に送水する送水動作時には水噴出部３２内の流路をオープンにし、他の動作時（給水容器２０から水を吸い上げする吸水時、すなわち、水噴出路３２内の水が歯ブラシ１０側から指圧部３４に戻ろうとする状態）には水噴出路３２内の流路をクローズにするボール弁を有する逆止弁（図示せず）が内蔵されている。このように水噴出部３２および第２の給水路４０の中途部にそれぞれ逆止弁を配設しているので、給水容器２０への水の逆流を確実に防止することができ衛生的である。
【００１６】
給水用指圧ポンプ３０は、水噴出部３２を第１の給水路１６に差し込むことにより歯ブラシ１０に装着することができる。すなわち、歯ブラシ１０（第１の給水路１６）と給水用指圧ポンプ３０とは着脱自在に設けられている。
給水用指圧ポンプ３０を歯ブラシに１０装着すると、図５に示すように、給水用指圧ポンプ３０の指圧部３４の一部が柄１４に配設されたポンプ収容凹部１８に収容された状態になり、柄１４からの給水用指圧ポンプ３０の指圧部３４のはみ出し量を可及的に少なくすることができる。
【００１７】
本実施形態における介護用口腔洗浄器１００は、図５および図６に示すように、歯ブラシ１０と給水用指圧ポンプ３０とが略一体化され、柄１４の部分からの指圧部３４のはみ出し量が抑えられている。これにより、介護者の手が小さい場合であっても、給水用指圧ポンプ３０が装着された歯ブラシ１０を用いて通常のブラッシング動作をしながら給水用指圧ポンプ３０による水の供給状態を調整することが可能になる。
給水用指圧ポンプ３０を操作する際には、給水用指圧ポンプ３０の指圧部３４をポンプ収容凹部１８の内底面に向けて押圧するだけでよい。また、植毛部１２から噴出させる水の勢いを強くしたい場合や、一回の押圧操作により噴出させる水の量を増やしたい場合には、貫通孔１９部分およびポンプ収容凹部１８側から露出する給水用指圧ポンプ３０の指圧部３４を直接挟み込むようにして押圧操作を行えばよい。
【００１８】
このような給水用指圧ポンプ３０を採用することにより、被介護者の口腔内を洗浄する際において、給水が必要な場合と給水が不要な場合の切り替え動作を直感的に行うことができる点において好都合である。これにより、老老介護の現場であっても介護用口腔洗浄器１００の操作方法に戸惑うことがなく、介護者はゆとりを持って介護用口腔洗浄器１００を操作することが可能になる。すなわち、介護者は被介護者への思いやりを持ちつつ口腔内の洗浄を行うことができる点においてきわめて有効である。
【００１９】
図６に示す介護用口腔洗浄器１００を用いて、被介護者の口腔内を洗浄処理した後、仕上げ洗浄を行う必要がある場合には、図７に示すように、歯ブラシ１０から給水用指圧ポンプ３０を分離させ、水噴出部３２にアタッチメント６０を接続して洗浄を行うことがある。図７は、給水用指圧ポンプにアタッチメントを装着した状態を示す正面図である。図７に示す使用形態は、被介護者が口を開けにくい場合においてきわめて有効である。アタッチメント６０は、指サック状に形成された本体部６２と本体部６２の先端部に取り付けられたブラシ部６４と、ブラシ部６４の外表面から本体部６２の内部空間を経て水噴出部３２に連通する給水チューブ６６とを有している。ブラシ部６４はシリコーン等の柔軟な合成樹脂により形成されている。
【００２０】
アタッチメント６０を装着した場合には、図８に示すように、介護者の人差し指にアタッチメント６０を装着し、給水用指圧ポンプ３０を握り締める状態とし、アタッチメント６０を被介護者の口の中に入れ、人差し指で優しくブラッシングすることができる。人差し指は歯ブラシに１０に比較して小回りが利くため、口を開けにくい被介護者であっても適切に口腔内の洗浄を行うことができる点で好都合である。この場合も、人差し指に装着したアタッチメント６０のブラシ部６４よるブラッシング動作に合わせて中指、薬指、小指と掌により給水用指圧ポンプ３０のポンピング操作を直感的に行うことができる。
【００２１】
歯ブラシ１０により口腔内の洗浄またはアタッチメント６０による口腔内の洗浄を終えた後、被介護者の口腔内を濯ぐ処理をして口腔洗浄が完了する。濯ぎ処理を行う際には、歯ブラシ１０またはアタッチメント６０から給水用指圧ポンプ３０を取り外し、給水用指圧ポンプ３０を単体で用いればよい。指圧部３４を押圧して水噴出部３２から水を噴出させることにより、被介護者の口腔内を濯げば口腔内に残存しているカス等を確実に除去する（洗い流す）ことができ、より清潔な口腔内環境を提供することができる。
【００２２】
（第２実施形態）
本実施形態においては、給水用指圧ポンプ３０の変形例について図面に基づいて説明を行う。図９は、第２実施形態における給水用指圧ポンプの正面図（Ａ）および分解正面図（Ｂ）である。図１０は、図９（Ｂ）内の破線で囲んだ部分の構成を示す組立説明図である。
図９に示すように、給水用指圧ポンプ３０は、第１の給水路１６に連通する水噴出路３２と、第２の通水路４０から供給された水を水噴出路３２に供給する際の動力源となる指圧部３４と、水噴出路３２および連通管３７を保持するハウジング３６とを有している。このハウジング３６には、第２の給水路４０側から第１の給水路１０（水噴出路３２）側への水の流通（供給）を許容し、逆向きの水の流通を規制するための逆止弁８０が収容されている。連通管３７は、第１の給水路１０に接続された水噴出路３２と第２の給水路４０に接続された指圧部３４とを連通させるためのものである。連通管３７にはシリコーン樹脂製管が好適に用いることができる。
【００２３】
図１０に示すように、水噴出路３２には先の実施形態と同様にステンレススチール製の管体が採用されている。水噴出路３２の指圧部３４側の端部には、合成樹脂により形成されたフランジ部３２ａとカラー部３２ｂが装着されている。カラー部３２ｂの外周面と指圧部３４側端面には、水噴出路３２の通水空間に連通するスリット３２ｃと貫通孔３２ｄが配設されている。
【００２４】
ハウジング３６は、本体部３６ａと、本体部３６ａに着脱可能に取り付けられたキャップ部３６ｂを有している。本体部３６ａの内部には、本体部３６ａの内周面から本体部３６ａの内径方向に突出する突出片３６ｃが設けられていて、本体部３６ａの内部断面が他の部分よりも小断面部分となるように形成されている。突出片３６ｃにより形成された本体部３６ａの小断面部分には逆止弁８０の一部を構成する移動弁８２が挿通された状態で保持されている。突出片３６ｃは本体部３６ａの他の部位よりも薄肉に形成されており、指圧部３４により送水圧力が付与されると、突出片３６ｃが送水方向に湾曲するように弾性変形し、突出片３６ｃと移動弁８２との間に通水空間が形成されることにより、水噴出路３２への送水を可能にしている。突出片３６ｃが弾性変形して形成された通水空間を通過した水は、カラー部３２ｂのスリット３２ｃを経由して水噴出路３２に供給されることになる。
また、キャップ部３６ｂには、水噴出路３２を挿通させるための挿通孔３６ｄが形成されている。フランジ部３２ａは、キャップ部３６ｂの挿通孔３６ｄから水噴出管３２が抜けてしまうことを防止するためのストッパとして用いられる。
【００２５】
逆止弁８０は、ハウジング３６の本体部３６ａに設けられた突出片３６ｃに挿通保持された移動弁８２と、移動弁８２と直列に配設され、移動弁８２を指圧部３４側に常時押圧させる方向に付勢力を付与する付勢部材８４と、カラー部３２ｂの貫通孔３２ｄに装着され、付勢部材８４による付勢力を得るための反力体８６と、を有している。これら移動弁８２、付勢部材８４、反力体８６は、ハウジング３６の内部空間において、同一直線上において互いに当接した状態で収容されている。
【００２６】
移動弁８２は断面Ｔ字状に形成され、細径部分が突出片３６ｃにより挟持された状態で本体部３６ａに収容されている。図１０において、移動弁８２の突出片３６ｃへの差し込み量が増えると、移動弁８２の大径部分が突出片３６ｃの側面に密着して本体部３６ａ内における水の流通を規制する仕組みになっている。
移動弁８２は、少なくともハウジング３６の本体部３６ａと接触する部分（細径部分）については、合成樹脂により被覆加工がされている。ここでは、合成樹脂としてシリコーン樹脂を採用した。このようにシリコーン樹脂により被覆加工された移動弁８２は、ハウジング３６の本体部３６ａとのシール性を向上させることができるため、逆止弁８０部分における水漏れ等を確実に防止することができる。
【００２７】
移動弁８２を指圧部３４側に付勢する付勢部材８４としては、公知のものを適宜選択して用いることができるが、ここでは、低コスト化を図るため、ステンレススチール製のつるまきばねを用いた。付勢部材８４の反力を得るための反力体８６は、図１０に示すように移動弁８２と同様に断面Ｔ字状に形成されている。反力体８６は、細径部分のすべてをカラー部３２ｂの貫通孔３２ｄに差し込むようにして装着されている。反力体８６の大径部分は、付勢部材８４との当接面が円弧状に湾曲する湾曲面に形成されている。この湾曲面により付勢部材８４を位置決めした状態で当接させることができ、移動弁８２に付与させる付勢力を常時適正な方向に作用させることが可能になる点で好都合である。
ここでは、反力体８６を単独の部品構成とした形態を示しているが、カラー部３２ｂの指圧部３４側の端面を付勢部材８４の端面を適切に当接させることが可能な形状に形成する（例えば、貫通孔３２ｄを形成するのではなく、カラー部３２ｂにおける付勢部材８４との当接面を円弧状の湾曲面とする）ことで、反力体８６の配設に代えることもできる。
【００２８】
以上に説明したとおり、本実施形態にかかる給水用指圧ポンプ３０は、簡易な構成であり、組立分解作業も容易に行うことができる。これにより、給水用指圧ポンプ３０の製造コストを大幅に低減させることができると共に、メンテナンスを容易に行うことができるため、初期発揮性能を長期にわたって維持することができる点においても好都合である。
【００２９】
以上に実施形態に基づいて本願発明にかかる介護用口腔洗浄器１００について詳細に説明をしてきたが、本願発明は以上に示した実施形態に限定されるものではないのはもちろんである。たとえば、本実施形態においては、植毛部１２と柄１４とを、それぞれ直線状の平面形状に形成しているため、歯ブラシ１０の平面視形状も直線的なＴ字型形状を呈しているが、植毛部１２を平面視または側面視した際において、円弧状に湾曲した形状を採用することも可能である。このように円弧状に湾曲させた植毛部１２を採用することにより、被介護者の口中の奥側位置まで植毛部１２が入れやすくなると共に、歯が磨きやすくなるため好都合である。このような円弧状の湾曲した植毛部１２を採用した場合、歯ブラシ１０の平面形状はＹ字型に近い湾曲したＴ字型（植毛部１２の平面視形状を円弧状に湾曲させた場合）や、柄１４に対する突出量が少ないＴ字型（植毛部１２の側面視形状を円弧状に湾曲させた場合）を呈することになるが、本明細書中においてはこれらのような形状であってもＴ字型をなす歯ブラシ１０に含まれるものとしている。
【００３０】
また、第１の給水路１６は柄１４の部分から植毛部１２の幅方向において均等間隔となるような二箇所に水を分配するため略Ｙ字型形状に形成されているが、植毛部１２への給水箇所は２箇所に限定されるものではない。植毛部１２からの水の噴出箇所（植毛部１２側の開口部配設位置）は１箇所または３箇所以上であってもよいため、第１の給水路１６の形状はＹ字型形状以外に形成されることもあるのはもちろんである。
【００３１】
また、本実施形態においては、歯ブラシ１０の植毛部１２に山羊毛や豚毛などの動物毛を用いているが、アタッチメント６０に用いたようなシリコーン等の柔軟性が高いといわれる合成樹脂を植毛部１２に植えてもよい。また、アタッチメント６０のブラシ部６４に山羊毛や豚毛などの動物毛を植えてもよいのはもちろんである。
また、本実施形態においては、アタッチメント６０を用いて歯磨きをする形態について説明しているが、アタッチメント６０を用いて口腔内用の保湿剤を被介護者の口腔内に介護者が指を用いて塗布することにより、被介護者の口腔内を保湿することができ、被介護者の口腔内環境を良好に維持することも可能である。
【００３２】
さらには、給水用指圧ポンプ３０は第１の給水路１６（歯ブラシ１０）に着脱自在な形態について説明しているが、給水用指圧ポンプ３０を第１の給水路１６（歯ブラシ１０）に連結固定させた形態を採用することもできる。このような介護用口腔洗浄器１００を採用した場合、仕上げの濯ぎ処理はできなくなるものの、本願発明が解決しようとしている簡単操作が可能で低コストでの提供が可能な介護用口腔洗浄器１００を実現することについては十分に可能である。
【符号の説明】
【００３３】
１０  歯ブラシ
１２  植毛部
１４  柄
１５  係止具
１６  第１の給水路
１８  ポンプ収容凹部
１９  貫通孔
２０  給水容器
２２  本体部
２４  蓋体
２６  キャップ
３０  給水用指圧ポンプ
３２  水噴出部
３２ａ  フランジ部
３２ｂ  カラー部
３２ｃ  スリット
３２ｄ  貫通孔
３４  指圧部
３６  ハウジング
３６ａ  本体部
３６ｂ  キャップ部
３６ｃ  突出片
３６ｄ  挿通孔
３７  連通管
４０  第２の給水路
４２  第２の逆止弁
５０  排水回収容器
５２  本体部
５４  吊部材
５６  固定具
６０  アタッチメント
６２  本体部
６４  ブラシ部
６６  給水チューブ
７０  給水部
８０  逆止弁
８２  移動弁
８４  付勢部材
８６  反力体
１００  介護用口腔洗浄器
【図１】
2011206528.tif 000003
【図２】
2011206528.tif 000004
【図３】
2011206528.tif 000005
【図４】
2011206528.tif 000006
【図５】
2011206528.tif 000007
【図６】
2011206528.tif 000008
【図７】
2011206528.tif 000009
【図８】
2011206528.tif 000010
【図９】
2011206528.tif 000011
【図１０】
2011206528.tif 000012